(57)【特許請求の範囲】
【請求項１】
入金された紙幣を紙幣入出金部で、硬貨を硬貨入出金部で計数し、合計金額を表示部で表示する自動取引装置において、
前記表示部に前記紙幣、前記硬貨の枚数及び金額を金種別に表示するとともに、前記紙幣及び前記硬貨の合計枚数、金種別の合計金額、及び総合計金額を表示する表示制御手段を設けたことを特徴とする自動取引装置。
【請求項２】
入金された紙幣を紙幣入出金部で、硬貨を硬貨入出金部で計数し、合計金額を表示部で表示する自動取引装置の取引方法において、
紙幣入出金部が計数した各種紙幣の枚数データを表示制御手段に送り、
硬貨入出金部が計数した各種硬貨の枚数データを表示制御手段に送り、
表示制御手段が上記各データを受け取って、前記表示部に、前記紙幣、前記硬貨の枚数及び金額を金種別に表示するとともに、前記紙幣、前記硬貨の合計枚数、金種別の合計金額、及び総合計金額を表示することを特徴とする自動取引装置の取引方法。
【請求項３】
顧客が入力表示部から入力した金額の紙幣を紙幣入出金部で、硬貨を硬貨入出金部で計数して支払い、合計金額を入力表示部で表示する自動取引装置において、
前記入力表示部から前記紙幣、前記硬貨の枚数と金種を入力し、前記紙幣、前記硬貨の合計枚数、金種別の合計金額、及び総合計金額を表示し、顧客に確認を促す入力表示制御手段を有し、
前記合計金額に相当する各種紙幣、各種枚数に応じて支払うことを特徴とする自動取引装置。
【請求項４】
顧客が入力表示部から入力した金額の紙幣を紙幣入出金部で、硬貨を硬貨入出金部で計数して支払い、合計金額を入力表示部で表示する自動取引装置の取引方法において、
前記入力表示部から前記紙幣、前記硬貨の枚数と金種を入力し、前記紙幣、前記硬貨の合計枚数、金種別の合計金額、及び総合計金額を表示し、顧客に確認を促し、
前記確認が入力されると、紙幣入出金部が前記合計金額に相当する紙幣の枚数データに応じて支払いを行い、硬貨入出金部が前記合計金額に相当する硬貨の枚数データに応じて支払うことを特徴とする自動取引装置の取引方法。
【発明の詳細な説明】
【０００１】
【産業上の利用分野】
本発明は、銀行などの金融機関において使用され、顧客に対して自動的に入金、支払などの金融取引きを行う自動取引装置に関する。
【０００２】
【従来の技術】
従来、銀行などの金融機関において使用され、顧客に対して自動的に入金、支払などの金融取引きを行う自動取引装置には、入金された紙幣を紙幣入出金部で、硬貨を硬貨入出金部で計数し、合計金額を表示部で表示するものがある。このような自動取引装置は、紙幣を出し入れする紙幣入出金口、硬貨を出し入れする硬貨入出金口、入力手段と入力されたデータを表示する表示手段とを兼ねたディスプレイを有している。
【０００３】
このような自動取引装置において、入金取引を行う場合について説明する。顧客が紙幣入出金口から紙幣を、硬貨入出金口から硬貨を挿入すると、紙幣入出金部が入金された紙幣を計数し、硬貨入出金部が硬貨を計数する。また、ディスプレイでこれらの合計金額が表示される。支払取引を行う場合は、顧客が引出したい金額の合計をディスプレイから入力する。これにより、紙幣入出金部が紙幣を計数して合計金額を支払う。例えば、顧客がディスプレイから１万５００円と入力すると、紙幣入出金口から一万円券が一枚、硬貨入出金口から５００円硬貨が一枚、合計１万５００円が支払われる。
【０００４】
【発明が解決しようとする課題】
従来の自動取引装置にあっては、顧客が一万円券、五千円券、千円券、５００円硬貨、１００円硬貨、５０円硬貨、１０円硬貨、５円硬貨、１円硬貨を、それぞれの金種が何枚ずつで合計がいくらになるかを把握せずに一緒に入金する場合、合計金額しか表示されないので、その合計金額が本当に正しいものかどうか、信頼することができなかった。また、従来の自動取引装置にあっては、例えば顧客が千円券８枚と５００円硬貨４枚で１万円を必要としている場合、千円券が最も細かい金種として支払いに使用されているので、まず自動取引装置で千円券を１０枚引き出した後に、わざわざ両替機まで赴いて、１０枚の千円券のうち２枚を５００円硬貨４枚に両替しなければならなかった。このように入出金の際の操作性が悪いという問題点があった。
【０００５】
【課題を解決するための手段】
上記課題を解決するために、本発明の自動取引装置にあっては、各種紙幣、各種硬貨の枚数を表示部で表示する表示制御手段を設けた。
【０００６】
【作用】
上記のように構成された自動取引装置に紙幣、硬貨を一緒に入金すると、表示制御手段が、計数された紙幣、硬貨それぞれの金種ごとの枚数、金額と、入金された合計金額とを表示する。
【０００７】
【実施例】
本発明の第一実施例について図面を参照しながら説明する。なお、各図面に共通な要素には同一の符号を付す。図１は本発明の第一実施例を示すブロック図、図２は第一実施例の自動取引装置の要部を示す斜視図である。図２において、自動取引装置１の筐体２内には、図示せぬカードリーダプリンタ、紙幣入出金機、硬貨入出金機などの各機構が収納配置されている。筐体２の正面上部に設けられたディスプレイ３は、表示画面に直接指先で触れてデータを入力する入力手段としてのタッチセンサと、入力されたデータを表示する表示手段とを兼ねている。ディスプレイ３の両側には、紙幣入出金口４、硬貨入出金口５が設けられている。また、これらの入出金口の上方には、カード挿入返却口６、通帳挿入返却口７が設けられている。
【０００８】
図１において、自動取引装置１の主制御部８には、ディスプレイ３、カードリーダプリンタ９、紙幣入出金部１０、硬貨入出金部１１、通帳記帳機１２、ジャーナルプリンタ１３、内部操作盤１４が接続されている。ディスプレイ３は、主制御部８内の表示制御部１５に接続されている。表示制御部１５は、ディスプレイ３で表示する画面を制御する。カードリーダプリンタ９は、磁気カードの磁気ストライプ情報の読取、更新、明細票の発行を行う。
【０００９】
紙幣入出金部１０は、顧客が投入した紙幣の鑑別、計数を行い、また顧客が要求する支払金額分の紙幣を計数する。硬貨入出金部１１は、紙幣入出金部１０と同様に顧客が投入した硬貨の鑑別、計数を行い、また顧客が要求する支払金額分の硬貨を計数する。通帳記帳機１２は、顧客の通帳に取引データを印字する。ジャーナルプリンタ１３は、取引内容をジャーナル用紙に印字する。内部操作盤１４は、自動取引装置１内部の各機構の運用状態や障害箇所、障害内容、復旧ガイダンスの表示、および各機構のモード設定を行う。
【００１０】
上述したような第一実施例の自動取引装置１における入金動作について図面を参照しながら説明する。図３は第一実施例の入金動作を示すフローチャート、図４は第一実施例の入金画面を示す説明図である。図３において、顧客が図２中のカード挿入返却口６から磁気カードを挿入すると、自動取引装置１は、ステップ１で磁気カードをカードリーダプリンタ９に取り込む。また、顧客が通帳挿入返却口７から通帳を挿入すると、ステップ２で通帳を通帳記帳機１２に取り込む。カードリーダプリンタ９は、ステップ３で磁気カードの磁気ストライプ情報の読取を行う。
【００１１】
次に、顧客が紙幣入出金口４から各種紙幣を一度に挿入すると、自動取引装置１は、ステップ４で紙幣を紙幣入出金部１０に取り込む。また、顧客が硬貨入出金口５から各種硬貨を一度に挿入すると、ステップ５で硬貨を硬貨入出金部１１に取り込む。紙幣入出金部１０は、ステップ６で各種紙幣を計数し、ステップ７で各種紙幣ごとの枚数と金額のデータを表示制御部１５に送る。硬貨入出金部１１は、ステップ８で各種紙幣を計数し、ステップ９で各種硬貨ごとの枚数と金額のデータを表示制御部１５に送る。表示制御部１５は、ステップ１０で各データを受取り、ステップ１１で入金された各種紙幣、各種硬貨ごとの枚数と金額を図４に示すようにディスプレイ３で表示する。
【００１２】
主制御部８は、ステップ１２でディスプレイ上の確認キー３ａと取消キー３ｂのどちらが押下されたかを判定する。顧客が確認キー３ａを押下すると、取引が成立したとして、カードリーダプリンタ９がステップ１３で磁気ストライプに取引データを書き込み、通帳記帳機１２がステップ１４で通帳に取引データを印字する。また、ステップ１２で取消キー３ｂが押下されたと判定されると、自動取引装置１は、取引不成立としてステップ１５で紙幣入出金口４から入金された紙幣を排出し、ステップ１６で硬貨入出金口５から入金された硬貨を排出する。自動取引装置１は、ステップ１７で磁気カードをカード挿入返却口６から、通帳を通帳挿入返却口７から返却して取引を終了する。
【００１３】
このように、各種紙幣、各種硬貨の枚数をディスプレイ３で表示する表示制御部１５を設けたことにより、入金取引の際に、それぞれの金種が何枚ずつで合計がいくらになるかが表示されるので、装置に対する信頼性が向上する。
【００１４】
次に、本発明の第二実施例について図面を参照しながら説明する。図５は本発明の第二実施例を示すブロック図である。図５において、自動取引装置２１の主制御部２２には、ディスプレイ３、カードリーダプリンタ９、紙幣入出金部１０、硬貨入出金部１１、通帳記帳機１２、ジャーナルプリンタ１３、内部操作盤１４が接続されている。ディスプレイ３は、主制御部２２内の表示制御部２３に接続されている。
【００１５】
表示制御部２３は、ディスプレイ３で表示する画面を制御する。紙幣入出金部１０と硬貨入出金部１１は、主制御部２２内の両替部２４に接続されている。両替部２４は、どの金種を何枚で合計いくら支払うかのデータを表示制御部２３から受け取り、それに応じた支払制御を行う。また、主制御部２１は、インタフェイス制御部２５を介して上位センタ装置２６に接続されている。第二実施例の自動取引装置２１のその他の構成要素については、第一実施例と同様であるので、説明は省略する。
【００１６】
上述したような第二実施例の自動取引装置２１における支払動作について図面を参照しながら説明する。図６は第二実施例の支払動作を示すフローチャート、図７は第二実施例の支払画面を示す説明図である。図６において、顧客が図２中のカード挿入返却口６から磁気カードを挿入すると、自動取引装置２１は、ステップ２１で磁気カードをカードリーダプリンタ９に取り込む。カードリーダプリンタ９は、ステップ２２で磁気カードの磁気ストライプ情報の読取を行う。顧客がディスプレイ３から暗証番号を入力すると、主制御部２２は、ステップ２３でその暗証番号を上位センタ装置２６と照合する。
【００１７】
表示制御手段２３は、ステップ２４で、図７に示すような金種キー３ｃと枚数キー３ｄとを有する支払画面を表示する。ここで、例えば顧客が１万２千円を千円券１０枚と５００円硬貨４枚で引き出すとする。顧客は、まず金種キー３ｃの「千」と枚数キー３ｄの「１」、「０」とを押下し、次に金種キー３ｃの「５００」と枚数キー３ｄの「４」とを押下する。顧客が確認キー３ａを押下すると、主制御部２２は、ステップ２５でディスプレイ３上の確認キー３ａが押下されたと判定し、表示制御手段２３は、ステップ２６で合計金額を表示する。ステップ２５で取消キー３ｂが押下されたと判定されると、自動取引装置２１はステップ２７で磁気カードをカード挿入返却口６から返却し、取引を中止する。
【００１８】
顧客が合計金額の表示を見て、確認キーを押下すると、主制御部２２がステップ２８でこれを判定し、表示制御手段２３は、ステップ２９で支払金額のデータを両替部２４に送る。ステップ２８で取消キーが押下されたと判定されると、表示制御手段２３はステップ２４に戻り、前の支払画面を再び表示する。両替部２４は、ステップ３０で紙幣入出金部１０に紙幣で支払う金種とその枚数のデータを送り、ステップ３１で硬貨入出金部１１に硬貨で支払う金種とその枚数のデータを送る。
【００１９】
紙幣入出金部１０は、ステップ３２で支払う紙幣を計数し、硬貨入出金部１１は、ステップ３３で支払う硬貨を計数する。また、カードリーダプリンタ９は、ステップ３４で磁気ストライプに取引データを書き込み、ジャーナルプリンタ１３は、ステップ３５で伝票に取引データを印字する。自動取引装置１は、ステップ３６で磁気カードをカード挿入返却口６から返却する。また、ステップ３７で紙幣を紙幣入出金口４から伝票と一緒に排出し、ステップ３８で硬貨を硬貨入出金口５から排出して取引を終了する。
【００２０】
このように、各種紙幣、各種硬貨の枚数を入力して表示する表示制御部２３と、入力された各種紙幣、各種硬貨の枚数に応じて支払を行う両替部２４とを設けたことにより、支払と両替とを同時に行うことができるので、出金の際の操作性が向上する。
【００２１】
【発明の効果】
本発明は、以上説明したように構成されているので、以下に記載されるような効果を奏する。
【００２２】
すなわち、各種紙幣、各種硬貨の枚数を表示部で表示する表示制御手段を設けたことにより、入出金の際の操作性が向上する。
【図面の簡単な説明】
【図１】本発明の第一実施例を示すブロック図である。
【図２】第一実施例の自動取引装置の要部を示す斜視図である。
【図３】第一実施例の入金動作を示すフローチャートである。
【図４】第一実施例の入金画面を示す説明図である。
【図５】本発明の第二実施例を示すブロック図である。
【図６】第二実施例の支払動作を示すフローチャートである。
【図７】第二実施例の支払画面を示す説明図である。
【符号の説明】
１、２１    自動取引装置
３    ディスプレイ
１０    紙幣入出金部
１１    硬貨入出金部
１５、２３    表示制御部
２４    両替部
【図１】
0003824673.tif 000002
【図２】
0003824673.tif 000003
【図３】
0003824673.tif 000004
【図４】
0003824673.tif 000005
【図５】
0003824673.tif 000006
【図６】
0003824673.tif 000007
【図７】
0003824673.tif 000008